(57)【要約】      （修正有）【課題】重い容器を持ち上げることなく簡単に他の容器へ液体を注ぐための、液体注入補助具を提供する。【解決手段】プラスチックや金属などの弾力性のある板等を、プラスチック棒３等で引っ張り固定してＵ字型とし、その板の両端に、種々の容器が装着できる凹部２を持ち、ストッパー付きのベルト６等で容器を固定する切れ込み５を備えており、さらに、本体の底裏面に摩擦係数の大きな、滑り止め用の防滑部７を持つことを特徴とする液体注入補助具によって解決したものである。【選択図】図１
0003177996.tif 000002
【実用新案登録請求の範囲】
【請求項１】
上部に１対の側壁部からなる容器保持部を備え、下部に下向きの凸型曲面からなる転動部を備えて前記１対の側壁部の一方と転動部と他方の側壁部が連続して形成され、側面視略U字形状の液体注入補助具であって、該液体注入補助具は前記下向きの凸型曲面からなる転動部で下部平面と接し前記転動部下部平面上を転動させることで、容器を前記容器保持部に装着した際、容器の長軸と前記下部平面とが作る傾斜角度が可変となることを特徴とする液体注入補助具。
【請求項２】
前記容器保持部の前記１対の側壁部に容器装着凹部が設けられていることを特徴とする請求項１記載の液体注入補助具。
【請求項３】
前記下向きの凸型曲面からなる転動部の綾線及びその近傍に防滑部が設けられていることを特徴とする請求項１又は請求項２記載の液体注入補助具。
【請求項４】
前記１対の側壁部の容器装着凹部に容器固定手段が設けられていることを特徴とする請求項１〜３のいずれかに記載の液体注入補助具。
【請求項５】
前記容器固定手段が粘弾性体からなる防滑材であることを特徴とする請求項１〜４のいずれかに記載の液体注入補助具。
【請求項６】
前記１対の側壁部にベルトが設けられていることを特徴とする請求項１〜５のいずれかに記載の液体注入補助具。
【考案の詳細な説明】
【技術分野】
【０００１】
本考案は、大型の容器に入った液体を、他の容器に移しかえるときに使うための液体注入補助具に関する。
【背景技術】
【０００２】
大型容器内の液体を他の容器に容易に移しかえるための工夫として、容器の注ぎ口を傾斜させたり、注ぎ口の部分に蛇腹をつけて自由に曲げられるようにしたものがある（例えば、特許文献１参照）。
また、大型ボトルを片手で持って容易に注ぎ作業が出来るように、容器の胴体に持ち手を取り付ける汎用の飲料容器保持具（又は、ペットボトル用ハンドル）が提案されている（例えば、特許文献２，３参照）。
【０００３】
然しながら、これらのものを使用する場合に、容器の底などに手を当てて容器を持ち上げ傾斜させて他の容器に移しかえる方法がとられている。これ等の方法では、大なり、小なり注ぐときに容器を持ち上げなければならず、液体が一気に流れるおそれもあって、腕への負担は大きく、特に、老齢者や子供などにとっては非常に困難で危険なことであり、改善が望まれていた。
【０００４】
そこで、重い大型容器を持ち上げることなく定量ずつ他の小型容器に移しかえられる本願出願人の既出願（特許文献４参照）がある。
上記特許文献４は、略大型容器の高さを直径とする平板円盤２枚を容器の胴体が入る所定の間隔を設けて、各平板円盤の略中心を連結棒で連結し、この連結棒に大型ボトルを保持した固定板を回動可能に取り付けると共に、この固定板の回動量を平板円盤に設けた歯形の溝と固定板に設けた爪とで協働させることによって（所謂、ラチェット機構）、ほぼ定量ずつ注入できるようにしたものがある。
然しながら、このものにあっては、ラチェット機構を用いて傾斜角度を調整する必要があり面倒である。また、大型になるので取り扱いづらい面もあり、また、容器の大きさ毎に注入補助具を作る必要があるなどの欠点があった。
【先行技術文献】
【特許文献】
【０００５】
【特許文献１】実用登録第３０５６８６０号公報
【特許文献２】実用登録第３０８９８８５号公報
【特許文献３】実用登録第３０３５０８６号公報
【特許文献４】特開２００９−５７０８０号公報
【考案の概要】
【考案が解決しようとする課題】
【０００６】
本考案は上記特許文献１〜４に記載の発明考案のような従来の欠点を改良したものであり、小型にして簡単な構造で、複数の形や大きさの容器に使用でき、重いペットボトルやビン、ポリ缶などの容器を持ち上げることなく、手軽にしてスムーズに他の容器へ注ぐことができる注入補助具を提供することを目的としている。
【課題を解決するための手段】
【０００７】
上記目的を解決するためになされた本願考案の請求項１の液体注入補助具は、上部に１対の側壁部からなる容器保持部を備え、下部に下向きの凸型曲面からなる転動部を備え前記１対の側壁部の一方と転動部と他方の側壁部が連続して形成され側面視略U字形状の液体注入補助具であって該液体注入補助具は前記下向きの凸型曲面からなる転動部で下部平面と接し前記転動部下部平面上を転動させることで、容器を前記容器保持部に装着した際容器の長軸と前記下部平面とが作る傾斜角度が可変となることを特徴とする。
【０００８】
本願考案の請求項２の液体注入補助具は、前記容器保持部の前記１対の側壁部に容器装着凹部が設けられていることを特徴とする。
【０００９】
本願考案の請求項３の液体注入補助具は、前記下向きの凸型曲面からなる転動部に防滑部が設けられていることを特徴とする。
【００１０】
本願考案の請求項４の液体注入補助具は、前記１対の側壁部の容器装着凹部に容器固定手段が設けられていることを特徴とする。
【００１１】
本願考案の請求項５の液体注入補助具は、前記容器固定手段が粘弾性体からなる防滑材であることを特徴とする。
【００１２】
本願考案の請求項６の液体注入補助具は、前記１対の側壁部にベルトが設けられていることを特徴とする。
【考案の効果】
【００１３】
本願考案の液体注入補助具は、構造が簡単で、軽量にして、使いやすく、種々の大きさの容器に対応できるとともに、本体を持ち上げることなく卓上などに置いて使用できるので、容器の大きさや重さにかかわることなく、誰でも無理なく使用できる。
上記効果に加えて、更に上記の本体が合成樹脂板で形成されその底部に滑り止め部材が付いているので重量のある容器でもスムーズに注入できる。また容器の胴部側面を受ける凹部で形成され該凹部にも粘着性と弾性の補助部材が付けられているので大型容器がきちんとセットできる。加えて本体の材質を発砲系のウレタンで形成すると同様の効果があり、補助部材も少なくてすむ。
【図面の簡単な説明】
【００１４】
【図１】本考案の第一実施形態の液体注入補助具の斜視図である。
【図２】本考案の第二実施形態の液体注入補助具の斜視図である。
【考案を実施するための形態】
【００１５】
以下、本考案の液体注入補助具を図面に従って詳細に述べる。
【実施例１】
【００１６】
図１は卓上に置かれた本考案の第一実施形態の液体注入補助具の使用状態を示す斜視図であり、２リットル〜４リットルのペットボトルと１升ビン（約１．８リットル）とを対象としたものである。
図１において、１は本考案の液体注入補助具であり、９はペットボトル、Ｘはペットボトル９の注入口の卓上面からの高さである。１はＵ字状に湾曲した液体注入補助具の本体で、外形は横幅（Ｗ）２００ミリ、長さ（Ｌ）１７０ミリ、高さ（Ｈ）１５０ミリであり、厚さ約１．４ミリの弾力のあるプラスチック板を使用している。
この本体１の両端部の中央には４リットルのペットボトルに対応できる大きさと深さを持ち容器を装着する凹部２が形成されていて、この凹部２の端部には滑り止め用の凹部ゴム８が設けられている。このゴム８からＵ字状の底までの凹部高さ（h）は約１００ミリである。３は引っ張り棒で、本体１の形状を維持するために凹部２の近傍の孔４を介して左右に一対取り付けられている。５は本体１の上方側部の４箇所に設けられたベルト用の切れ込みでる。６はペットボトルＢを本体１に固定するためのストッパー付きのベルトであり、ベルト用切れ込み５を介してペットボトルＢを凹部２に動かないように固定する。７は本体１のU字状の底部に設けられた滑り止め用の底ゴムである。凹部２の端部及び液体注入補助具７の底部には滑り止めとして合成ゴムを使用したがこの他摩擦係数の高い天然ゴム、シリコンゴムでも可能である。
【００１７】
次に本考案の液体注入補助具１の基本的な使い方を説明し、続けて、２リットル容器、１升ビン（約１．８リットル）、４リットル容器を同一の液体注入補助具に取り付けての実験的要素を含んだ使い方を順序だてて説明する。
基本的な使い方は以下の通りである。
１）ペットボトル９の口が上向きになるように容器装着凹部２に当てがって置く。
２）ベルト用切れ込み５に通したストッパー付きのベルト６でペットボトル９を固定する。
３）ペットボトル９を押さえ、テーブル面上に本体１のU字状面を沿わせながらゆっくりと傾斜させて、卓上のコップに移し変える。
なお、実施例１の本体１の諸寸法等の根拠は、一般的なコップの高さを約１１０ミリ、ペットボトル４リットルの直径が約１３０ミリであることから、容器注入口水平位置から底面までの高さ（X）が約２００ミリになるように設定した。
【００１８】
次に、一般的な角型２リットル用の容器（高さが約３１０ミリ、縦横約９０ミリまたは約１００ミリ）を取り付けた場合の手順とその状況を説明をする。
１）まず本考案の液体注入補助具を卓上に置き、
２）角型２リットル用の容器を取り付け固定して、
３）本考案の液体注入補助具全体を最初から水が流れだす高さ（Ｘ）である約２００ミリまで傾斜させて注入する。
この時の状況は以下の通り。
→同一卓上にある高さ約１１０ミリのコップに注ぎ込まれ随時、注入することが可能であった。
→５０ｃｃ程残った水はコップを持って注入すれば全量入れられた。
→約５０ミリの高さのコップに於いては、コップを置いたまま全量入れられた。
これらの状況から、場所もとらず卓上などに常時置いて使用可能である。
【００１９】
次に、重い一升ビン（約１．８リットル）の容器（高さ約４００ミリ、上口部直径約３０ミリ、下底部直径約１００ミリ）を取り付けた場合の手順とその状況を説明する。
１）上記と同じ液体注入補助具に取り付け固定し、
２）本考案の液体注入補助具全体を最初に水が流れ出す高さである約１７５ミリまで傾斜して注入した。
この時の状況は以下の通り。
→随時注入していき、約１５０ｃｃ残った水はコップを持って注入すれば全量入れられた。
→約５０ミリの高さのコップを使用すると全量入れられた。
以上の通り、長く重い一升ビン（約１．８リットル）でも上記角型２リットル用の容器と同じ液体注入補助具で使用できた。
【００２０】
次に、４リットルの容器（高さ約３８０ミリ上口部直径約３５ミリ下底部直径約１２５ミリの丸型容器）を取り付けた場合の手順とその状況を説明をする。
１）上記と同じ液体注入補助具に固定して、
２）本考案の液体注入補助具全体を最初に水が流れ出す高さである約２５５ミリの位置まで傾斜して注入した。
この時の状況は以下の通り。
→随時注入していくと約４００ｃｃ残った。
→更に約９０ミリの高さのコップに於いては約２００ｃｃ、約９０ミリの高さのコップに於いては約１００ｃｃ残った。
→この場合コップを持って注入すると全量入れることができた。
尚、重い４リットルの容器の場合はストッパー付きベルト６で止めて注入すると、安定して入れることができた（上記の角型２リットル容器や１升ビン（約１．８リットル）では必ずしもストッパー付きベルト６の必要が無かった）。
【００２１】
以上２リットル、一升ビン（約１．８リットル）、４リットル各々の容器に対応できる本考案の液体注入補助具で実験してみたところ、ある程度弾性もあり押えつけられながらフリーの状態で傾きながら移動していくので、一気に重心移動も起こらないことが解り、持ち上げなくても良いし手にかかる重さも、本考案の液体注入補助具が受けてくれるので少しで済んだ。
【実施例２】
【００２２】
図２は卓上に置かれた本考案の実施例２における液体注入補助具の使用状態の斜視図である。２から４リットルのペットボトル及び一升ビン（約１．８リットル）を対象に実施したものである。実施例１においては弾性のあるプラスチック板を使用してその底部には滑り止め部材が設けられていたが実施例２においては、実施例１と同様に随時実験をしてみると液体注入補助具の本体は所定の硬度で形成された発砲系ウレタンで形成されているため、該本体の底面に滑り止め部材を具備しなくても、滑ることなく注入することができた。
【００２３】
大型容器に入った液体を他の容器に移しかえるための液体注入補助具に関しては下記のものも考えられるが、容器の大きさ毎に液体注入補助具を作る必要がある。
１）円周に回転を段階的にするノコギリ歯状の歯止めを持つ２枚の円板の中心にボトルを乗せる板を固定し、その前部にボトル止め、中心部に持ち手を有する液体注入補助具。
２）上記１）の両輪部の上側を取り除いた液体注入補助具。
３）歯止めを有する円柱の上に前後にストッパーを持つボトルを乗せる板を置いただけの簡単な構造の液体注入補助具。
４）上記１）〜３）同様、前部に容器止め、中心部に持ち手を有するボトルを乗せる板の中央や前の部分を支柱で一点止めをしてシーソーのように傾けて使用する液体注入補助具。
５）箱状の中にボトルを入れ箱状の中央やや上の部分を支柱で一点止めをして、傾けて使用する液体注入補助具。
【００２４】
また、本考案液体注入補助具は石油等、使用するものにより大きさも変えることができる。更に強度と弾性が確保できれば材質にこだわるものではなくプラスチック板に限らず金属や天然ゴム、合成ゴム、ウレタン樹脂発泡体など、多くの材質、形状が考えられる。
【産業上の利用可能性】
【００２５】
本考案は、大型容器に入った液体を他の容器に移しかえるのに便利であり液体注入補助具を産業上で利用される可能性がある。
【符号の説明】
【００２６】
１  液体注入補助具
２  容器装着凹部
３  引っぱり棒
４  引っぱり棒穴
５  ベルト用切れ込み
６  ベルト
７  防滑部
８  容器装着用防滑材
９  容器
９a 容器の長軸
１０  容器保持部
１１  一対の側壁部
１２  転動部
Ｗ  液体注入補助具の横幅  
Ｌ  液体注入補助具の長さ
Ｈ  液体注入補助具の高さ
ｈ  容器装着凹部の高さ
Ｘ  最初に液体が流れ出す時の容器内の液体の高さ。
【図１】
0003177996.tif 000003
【図２】
0003177996.tif 000004